(57)【要約】【課題】在庫管理負担、製造原価、メンテナンス費用、在庫品の保管スペースを上昇させることなく、要求される複数の歯数に対応可能な樹脂チェーン用分割式スプロケットを提供する。【解決手段】複数のスプロケット構成部品を一体化して構成される樹脂チェーン用分割型スプロケットにおいて、スプロケット構成部品が歯部プレート１２０、歯型位置決めプレート１３０、固定プレート１４０の３種類からなり、歯部プレートが必要歯数分円周状に配設され、歯部プレートを中心としてその両外側に歯型位置決めプレートが配設され、歯型位置決めプレートのさらに両外側に固定プレートが配設され、両外側に配設した固定プレートを互いに締め付けることにより、歯型位置決めプレートが歯部プレートを挟み込んで圧設してスプロケット構成部品が一体化されていることにより前記課題を解決する。【選択図】図２
2010255653.tif 000002
【特許請求の範囲】
【請求項１】
複数のスプロケット構成部品を一体化して構成される樹脂チェーン用分割型スプロケットにおいて、
前記スプロケット構成部品が歯部プレート、歯型位置決めプレート、固定プレートの３種類からなり、前記歯部プレートが必要歯数分円周状に配設され、前記歯部プレートを中心としてその両外側に歯型位置決めプレートが配設され、前記歯型位置決めプレートのさらに両外側に固定プレートが配設され、前記両外側に配設した固定プレートを互いに締め付けることにより、前記歯型位置決めプレートが歯部プレートを挟み込んで圧設してスプロケット構成部品が一体化されていることを特徴とする樹脂チェーン用分割型スプロケット。
【請求項２】
前記歯部プレート、歯型位置決めプレート及び固定プレートの全て又は一部が射出成形又はプレス加工によって製作されていることを特徴とする請求項１に記載の樹脂チェーン用分割型スプロケット。
【請求項３】
前記固定プレート及び歯部プレートが、歯部プレートの数に拠らず同一形状であり、前記歯型位置決めプレートが、前記歯部プレートの数に対応して外径が異なる形状であることを特徴とする請求項１または請求項２に記載の樹脂チェーン用分割型スプロケット。
【発明の詳細な説明】
【技術分野】
【０００１】
本発明は、例えば、ビンや缶を搬送する搬送装置に用いられる樹脂製チェーンを掛架するスプロケットに関し、特に、歯部とボス部が別体である樹脂チェーン用分割式スプロケットに関する。
【背景技術】
【０００２】
従来、搬送装置に用いられる樹脂製チェーンを掛架するスプロケットは、材質としては金属、樹脂、複合と種々あるが、概ね、歯部、ボス部は一体のものがほとんどである。
【０００３】
他にあるものとしては、図６に正面図を、図７に図６を矢視ＶＩＩ方向から見た側面図を、図８に図７のＶＩＩＩ−ＶＩＩＩ線に沿う断面図を示したように、スプロケット軸穴中心を通る面において歯部が２分割された分割式スプロケット５００が知られている。
【先行技術文献】
【特許文献】
【０００４】
【特許文献１】特開平９−１１８４１５号公報
【発明の概要】
【発明が解決しようとする課題】
【０００５】
しかしながら、図６乃至図８に示したような従来の分割式スプロケット５００は、用途に応じて必要歯数が異なるため（例えば、１４歯、１６歯、〜３２歯）、その都度に要求に応じた歯数の歯部５２０を用意しておく必要があり、在庫管理負担が大きかった。
【０００６】
また、歯部５２０がプラスチック製の場合、要求歯数毎に金型を製作する必要があり、製造原価の上昇の原因となっていた。
【０００７】
また、歯部５２０が一部でも破損すると、スプロケットの半体である歯部５２０自身の交換が必要であり、メンテナンス費用の上昇の原因となっていた。
【０００８】
また、従来の分割式スプロケット５００は、歯部５２０の嵩が大きいため、在庫品の保管場所に無駄が生じていた。
【０００９】
そこで、本発明が解決しようとする技術的課題、すなわち、本発明の目的は、在庫管理負担、製造原価、メンテナンス費用、在庫品の保管スペースを上昇させることなく、要求される複数の歯数に対応可能な樹脂チェーン用分割式スプロケットを提供することである。
【課題を解決するための手段】
【００１０】
まず、本請求項１に係る発明は、複数のスプロケット構成部品を一体化して構成される樹脂チェーン用分割型スプロケットにおいて、前記スプロケット構成部品が歯部プレート、歯型位置決めプレート、固定プレートの３種類からなり、前記歯部プレートが必要歯数分円周状に配設され、前記歯部プレートを中心としてその両外側に歯型位置決めプレートが配設され、前記歯型位置プレートのさらに両外側に固定プレートが配設され、前記両外側に配設した固定プレートを互いに締め付けることにより、前記歯型位置決めプレートが歯部プレートを挟み込んで圧設してスプロケット構成部品が一体化されていることにより、前記課題を解決したものである。
【００１１】
そして、本請求項２に係る発明は、請求項１に係る樹脂チェーン用分割型スプロケットにおいて、前記歯部プレート、歯型位置決めプレート及び固定プレートの全て又は一部が射出成形又はプレス加工によって製作されていることにより、前記課題をさらに解決したものである。
【００１２】
また、本請求項３に係る発明は、請求項１または請求項２に係る樹脂チェーン用分割型スプロケットにおいて、前記固定プレート及び歯部プレートが、歯部プレートの数に拠らず同一形状であり、前記歯型位置決めプレートが、前記歯部プレートの数に対応して外径が異なる形状であることにより、前記課題をさらに解決したものである。
【発明の効果】
【００１３】
本請求項１に係る発明によれば、複数のスプロケット構成部品を一体化して構成される樹脂チェーン用分割型スプロケットにおいて、スプロケット構成部品が歯部プレート、歯型位置決めプレート、固定プレートの３種類からなり、歯部プレートが必要歯数分円周状に配設され、歯部プレートを中心としてその両外側に歯型位置決めプレートが配設され、歯型位置決めプレートのさらに両外側に固定プレートが配設され、両外側に配設した固定プレートを互いに締め付けることにより、歯型位置決めプレートが歯部プレートを挟み込んで圧設してスプロケット構成部品が一体化されていることにより、一部の歯部プレートが破損したときに破損した歯部プレートだけを交換することにより補修できるので、メンテナンス費用を低減できる。
【００１４】
また、スプロケットを複数の部品に分割して保管することが出来るので、在庫品の保管場所の無駄を削減できる。
【００１５】
本請求項２に係る発明によれば、請求項１に係る樹脂チェーン用分割型スプロケットにおいて、歯部プレート、歯型位置決めプレート及び固定プレートの全て又は一部が射出成形又はプレス加工によって製作されていることにより、必要歯数が変更された場合であっても、歯部プレート及び固定プレートに関しては、型を変えることなく同一の射出成形又はプレス加工によって部品を成形できるので、製造原価を低減できる。
【００１６】
本請求項３に係る発明によれば、請求項１または請求項２に係る樹脂チェーン用分割型スプロケットにおいて、固定プレート及び歯部プレートが、歯部プレートの数に拠らず同一形状であり、歯型位置決めプレートが、歯部プレートの数に対応して外径が異なる形状であることにより、複数の要求歯数に対して同一の歯部プレートにより対応できるので、在庫管理負担が軽減できる。
【図面の簡単な説明】
【００１７】
【図１】本発明の実施例１である樹脂チェーン用分割型スプロケットの全体斜視図。
【図２】図１に示した樹脂チェーン用分割型スプロケットの分解図。
【図３】本発明の実施例２である樹脂チェーン用分割型スプロケットの全体斜視図。
【図４】図３に示した樹脂チェーン用分割型スプロケットの分解図。
【図５】本発明の実施例３である樹脂チェーン用分割型スプロケットの全体斜視図。
【図６】従来の分割型スプロケットの正面図。
【図７】図６の分割型スプロケットをＶＩＩ方向から見たときの側面図。
【図８】図７の分割スプロケットのＶＩＩＩ−ＶＩＩＩ線における断面図。
【発明を実施するための形態】
【００１８】
本発明の樹脂チェーン用分割型スプロケットは、複数のスプロケット構成部品を一体化して構成され、スプロケット構成部品が歯部プレート、歯型位置決めプレート、固定プレートの３種類からなり、歯部プレートが必要歯数分円周状に配設され、歯部プレートを中心としてその両外側に歯型位置決めプレートが配設され、歯型位置決めプレートのさらに両外側に固定プレートが配設され、両外側に配設した固定プレートを互いに締め付けることにより、歯型位置決めプレートが歯部プレートを挟み込んで圧設してスプロケット構成部品が一体化されているものであって、在庫管理負担、製造原価、メンテナンス費用、在庫品の保管スペースを上昇させることなく、要求される複数の歯数に対応可能なものであれば、その具体的な実施の態様は、如何なるものであっても何ら構わない。
【００１９】
例えば、本発明の樹脂チェーン用分割型スプロケットは、駆動軸に固定して使用する駆動側スプロケットとして使用することも出来るし、固定した軸の上で自由に回転させて使用する従動側スプロケットとして使用することも出来る。
【実施例１】
【００２０】
本発明の一実施例を図１及び図２に基づいて説明する。
ここで、図１は、本発明の実施例１である樹脂チェーン用分割型スプロケットの全体斜視図であり、図２は、図１に示した樹脂チェーン用分割型スプロケットの分解図である。
【００２１】
本発明の実施例１の樹脂チェーン用分割型スプロケット１００は、図１及び図２に示すように歯数が２０のスプロケットである。そして、歯一つ一つが同形状の独立した歯部プレート１２０からなり、この歯部プレート１２０が２０個円周状に配設され、その両外側に歯型位置決めプレート１３０が配設され、そのさらに外側に固定プレート１４０が配設されている。
【００２２】
歯部プレート１２０には、両外側に向けてそれぞれ２本の突起１２２が突設されている。一方、歯型位置決めプレート１３０には、歯部プレート１２０の突起１２２と係合する貫通孔１３２が穿孔されている。そして、歯部プレート１２０の突起１２２と歯型位置決めプレート１３０の貫通孔１３２とを係合させて、歯部プレート１２０を２枚の歯型位置決めプレート１３０によって外側から挟み込み、そのさらに外側に固定プレート１４０を配設し、歯型位置決めプレート１３０及び固定プレート１４０に同心円上に等間隔に穿孔されたボルト穴１３４、１４４にボルトを貫通させて、ナットを嵌める。そして、２枚の固定プレート１４０をボルトとナット（図示されていない）により互いに締め付けることにより、歯型位置決めプレート１３０が歯部プレート１２０を挟み込んで圧設して３種類のスプロケット構成部品を一体化している。
【００２３】
歯部プレート１２０、歯型位置決めプレート１３０及び固定プレート１４０の全て又は一部は、射出成形又はプレス加工にて製作することが出来る。
【００２４】
特に、歯部プレート１２０は、複数種の歯数に共通して対応できるものであり、製作コストの観点から、量産に適した樹脂製射出成形品とすることが好ましい。この時、使用樹脂としては、歯部強度を保つためガラスファイバー入り樹脂などを用いることが好ましい。
【実施例２】
【００２５】
本発明の別の実施例を図３及び図４に基づいて説明する。
ここで、図３は本発明の実施例２である樹脂チェーン用分割型スプロケットの全体斜視図であり、図４は、図３に示した樹脂チェーン用分割型スプロケットの分解図である。
【００２６】
本発明の実施例２の樹脂チェーン用分割型スプロケット２００は、図３及び図４に示すように歯数が２４である点を除けば、基本的な構成は、実施例１の樹脂チェーン用分割型スプロケット１００と同じである。したがって、対応する部材に付した符号の１００番台を２００番台に書き換えることにより、その説明を省略する。
【００２７】
実施例２の樹脂チェーン用分割型スプロケット２００の歯部プレート２２０は、実施例１の樹脂チェーン用分割型スプロケット１００の歯部プレート１２０と全く同じ形状をしている。そして、この歯部プレート２２０を２４個円周状に配設し、その両外側に歯型位置決めプレート２３０を配設し、そのさらに外側に固定プレート２４０を配設している。ここで、固定プレート２４０は、実施例１の樹脂チェーン用分割型スプロケット１００の固定プレート１４０と全く同じ形状をしている。一方、歯型位置決めプレート２３０は、歯部プレート２２０の数に対応して外径が異なる形状をしている。すなわち、歯部プレート２２０の数が４つ増えたことにより、その分だけ歯部プレート２２０が並ぶ円周が大きくなり、それに伴い歯型位置決めプレート２３０の外径が大きくなっている。
【００２８】
このように、本発明の樹脂チェーン用分割型スプロケットは、固定プレート及び歯部プレートが、歯部プレートの数に拠らず同一形状であり、歯型位置決めプレートが、歯部プレートの数に対応して外径が異なる形状をしている。したがって、歯数に対応した歯型位置決めプレートを用意するだけで、歯部プレート及び固定プレートは共通部品とすることができるので、在庫管理負担が軽減する。また、使用用途に応じた歯数のスプロケットを簡単に構成することが出来る。
【実施例３】
【００２９】
本発明のさらに別の実施例を図５に基づいて説明する。
ここで、図５は本発明の実施例３である樹脂チェーン用分割型スプロケットの全体斜視図である。
【００３０】
本発明の実施例３の樹脂チェーン用分割型スプロケット３００は、図５に示すように歯が２列である点を除けば、基本的な構成は、実施例１の樹脂チェーン用分割型スプロケット１００と同じである。したがって、対応する部材に付した符号の１００番台を３００番台に書き換えることにより、その説明を省略する。
【００３１】
実施例３の樹脂チェーン用分割型スプロケット３００は、図５に示すように、一枚の歯型位置決めプレート３３０の両外側に歯部プレート３２０が配設され、その両外側に歯型位置決めプレート３３０が配設され、そのさらに両外側に固定プレート３４０が配設される。そして、ボルトとナット（図示はされていない）で二枚の固定プレート３４０を互いに締め付けることにより、歯型位置決めプレート３３０が歯部プレート３２０を挟み込んで圧設して３種類のスプロケット構成部品を一体化している。
【００３２】
実施例３では、歯が２列の例について説明しているが、歯型位置決めプレート３３０を介して歯部プレート３２０を複数列重ねることにより、３列以上の所望の歯幅を有するスプロケットを構成することが出来る。
【００３３】
また、前述した実施例では、歯部プレートと歯型位置決めプレートとの固定手段として突起と貫通孔を用いているが、両者の固定手段としてはこれに限られることなく、確実に固定できるものであれば、凹凸のような溝や摩擦を利用した方法でも構わない。
【００３４】
以上のように、本発明の樹脂チェーン用分割型スプロケットによれば、複数のスプロケット構成部品が一体化して構成され、スプロケット構成部品が歯部プレート、歯型位置決めプレート、固定プレートの３種類からなり、歯部プレートが必要歯数分円周状に配設され、歯部プレートを中心としてその両外側に歯型位置決めプレートが配設され、歯型位置決めプレートのさらに両外側に固定プレートが配設され、両外側に配設した固定プレートを互いに締め付けることにより、歯型位置決めプレートが歯部プレートを挟み込んで圧設してスプロケット構成部品が一体化されていることにより、一部の歯部プレートが破損したときに破損した歯部プレートだけを交換することにより補修できるので、メンテナンス費用を低減できる。また、スプロケットを複数の部品に分割して保管することが出来るので、在庫品の保管場所の無駄を削減できる。
【符号の説明】
【００３５】
１００、２００、３００  ・・・  樹脂チェーン用分割型スプロケット
１２０、２２０、３２０  ・・・  歯部プレート
１２２、２２２  ・・・  突起
１３０、２３０、３３０  ・・・  歯型位置決めプレート
１３２、２３２  ・・・  貫通孔
１４０、２４０、３４０  ・・・  固定プレート
１４４、２４４、３４４  ・・・  ボルト穴
【図１】
2010255653.tif 000003
【図２】
2010255653.tif 000004
【図３】
2010255653.tif 000005
【図４】
2010255653.tif 000006
【図５】
2010255653.tif 000007
【図６】
2010255653.tif 000008
【図７】
2010255653.tif 000009
【図８】
2010255653.tif 000010